(57)【要約】  本開示に係る洗濯機は、筐体と、投入口を有する天壁と、前記天壁の上面に設けられ前記投入口を開閉する蓋体と、前記天壁の後方内部に設けられ、前記筐体に固定される支持部材と、前記支持部材に固定される連結部材と、を備えている。前記支持部材は、前記支持部材の両端部に立設する側壁を備え、前記連結部材は前記両端部に立設する側壁を連結し、前記連結部材は前記蓋体を軸支する。
2020217582.tif 000002
【特許請求の範囲】
【請求項１】
筐体と、
投入口を有する天壁と、
前記天壁の上面に設けられ前記投入口を開閉する蓋体と、
前記天壁の後方内部に設けられ、前記筐体に固定される支持部材と、
前記支持部材に固定される連結部材と、
を備え、
前記支持部材は、前記支持部材の両端部に立設する側壁を備え、
前記連結部材は前記両端部に立設する前記側壁を連結し、
前記連結部材は前記蓋体を軸支する洗濯機。
【請求項２】
前記連結部材は金属製である請求項１に記載の洗濯機。
【請求項３】
前記連結部材に配設されている軸受部に、前記蓋体に配設されているシャフトが支持される請求項１または２に記載の洗濯機。
【請求項４】
前記支持部材は、前記投入口の後方を形成する平坦面を有する前壁を備え、
前記両端部に立設する前記側壁および前記前壁は、上部で、前記連結部材と位置決め固定され、
前記支持部材には、給水装置が配設され、
前記給水装置は、前記連結部材に位置決め固定される請求項１または２に記載の洗濯機。
【請求項５】
前記給水装置は、洗濯助成剤を投入する洗濯助成剤投入部を有する請求項４に記載の洗濯機。
【請求項６】
前記給水装置は、洗濯助成剤を自動投入する洗濯助成剤自動投入装置を有する請求項４または５に記載の洗濯機。
【発明の詳細な説明】
【技術分野】
【０００１】
本開示は、洗濯物を洗濯する洗濯機に関する。
【背景技術】
【０００２】
縦型の洗濯機は、洗濯機本体の上面に開口部を備えている。蓋体を開放することにより開口部に洗濯物が出し入れされる。【０００３】
近年は、蓋体の表面を構成する部材としてガラス材を採用したフラットなデザインの洗濯機が好まれる傾向にある（例えば、特許文献１を参照）。
【先行技術文献】
【特許文献】
【０００４】
【特許文献１】特開２０１８−１１０６４５号公報
【発明の概要】
【０００５】
しかしながら、特許文献１の構成では、蓋体としてガラス材が採用されることにより、当該蓋体の重量が従来の樹脂部品で構成された蓋体の重量よりも増加している。
【０００６】
そのため、従来の上部筐体の構成では、蓋体を支持するための強度が不足するおそれがあった。
【０００７】
本開示は、上記従来の問題を解決するもので、重量の増加した蓋体を安定して支持し得る洗濯機を提供する。
【０００８】
本開示の洗濯機は、筐体と、投入口を有する天壁と、前記天壁の上面に設けられ前記投入口を開閉する蓋体と、前記天壁の後方内部に設けられ、前記筐体に固定される支持部材と、前記支持部材に固定される連結部材と、を備えている。前記支持部材は、前記支持部材の両端部に立設する側壁を備え、前記連結部材は前記両端部に立設する前記側壁を連結し、前記連結部材は前記蓋体を軸支する。
【０００９】
本開示の洗濯機は、連結部材により強度を上げることができ、重量が増加した蓋体を安定して支持することができる。
【図面の簡単な説明】
【００１０】
【図１】本実施の形態における洗濯機の要部斜視図
【図２】同洗濯機の上部枠体を取り外した状態の要部斜視図
【図３】同洗濯機の図２の状態から締結部材を取り外した状態の要部斜視図
【図４】同洗濯機の概略的な要部分解斜視図
【図５】同洗濯機の蓋体の開位置での裏面構造を示す分解正面図
【図６】同洗濯機の蓋体のヒンジ部構造体の分解斜視図
【図７】同洗濯機の概略的な要部分解斜視図
【発明を実施するための形態】
【００１１】
（実施の形態１）
図１は、実施の形態１の洗濯機１００の蓋体を開放した状態における概略的な斜視図である。図１を参照して、洗濯機１００を説明する。
【００１２】
洗濯機１００は、筐体１０１と、蓋体５００と、を備える。筐体１０１は、天壁１０２と、操作部４００（図４参照）を含む。
【００１３】
筐体１０１内には、洗濯槽（図示せず）が収容される。洗濯槽は、筐体１０１内で上向きに開口する。洗濯槽は、衣類を洗浄するための洗浄動作を行う。洗浄動作は、既知の洗濯機１００の洗濯槽が行う動作であってもよい。本実施形態の原理は、特定の洗浄動作に限定されない。
【００１４】
天壁１０２には、投入口１０３が形成されている。使用者は、衣類を投入口１０３を通じて、洗濯槽へ投入することができる。
【００１５】
蓋体５００は、天壁１０２上で、上下方向に回動する。図１に示される蓋体５００は、投入口１０３を露出させる開位置にある。
【００１６】
天壁１０２には、投入口１０３の後方位置に垂直な平坦面２００が形成されている。平坦面２００には、洗濯助成剤を投入する洗濯助成剤投入部１０４の前面と、洗濯助成剤を自動投入する洗濯助成剤自動投入装置１０５ａ、１０５ｂの前面が含まれる。
【００１７】
平坦面２００、洗濯助成剤投入部１０４の前面、および、洗濯助成剤自動投入装置１０５ａ、１０５ｂの前面は同一平面となるように構成されている。
【００１８】
次に、洗濯機１００上部の内部構成に関して説明する。図２は、洗濯機１００より天壁１０２、操作部４００、蓋体５００を取り除いた斜視図である。図３は、図２から連結部材１０９を分解した分解斜視図である。
【００１９】
筐体１０１上部には、合成樹脂からなる支持部材１０８が配設されている。支持部材１０８は、コ字状（Ｕ字状）に形成され、底部（図示せず）と両端部に立設する側壁２１０と、平坦面２００を有する前壁２２０とを備えている。支持部材１０８には、洗濯助成剤を投入する洗濯助成剤投入部１０４、および、洗濯助成剤を自動投入する洗濯助成剤自動投入装置１０５ａ、１０５ｂからなる給水装置１０７、並びに、各種電気部品等が配設されている。給水装置１０７は、一つのユニットとして取り外すことができるよう構成している。
【００２０】
支持部材１０８の両端部に立設する側壁２１０上部には、突起部１１２、１１４が配設されている。支持部材１０８の両端部に立設する側壁２１０上部には、金属材料が成型された連結部材１０９が装着される。連結部材１０９には、孔部１１５、１１７が配設されている。突起部１１２、１１４が孔部１１５、１１７に挿入されて位置決めされる。さらに、支持部材１０８の前壁２２０上部に配設されている突起部１１３が連結部材１０９に設けられた孔部１１６に挿入されて位置決めされる。
【００２１】
連結部材１０９は、蓋体５００を軸支する軸受部６２０を左右２箇所に備えている。金属製の連結部材１０９に蓋体５００を軸支する軸受部６２０が配設されているので、蓋体５００の重量が増加した場合でも蓋体５００を強固に支持することができる。
【００２２】
連結部材１０９には、角孔１２０、１２１が配設されている。給水装置１０７に配設されたツメ部１１８、１１９を角孔１２０、１２１に篏合させ、給水装置１０７を連結部材１０９に位置決めし、ネジ固定する。そして、連結部材１０９は、孔を介して支持部材１０８の両端部に立設する側壁２１０上部にネジ固定される。
【００２３】
給水装置１０７は、支持部材１０８の底部に載置された状態で、位置決めされていない状態から、連結部材１０９を装着することにより固定される。給水装置１０７は、連結部材１０９により位置決めされるので、支持部材１０８の成型に基づくバラツキが発生した際も、組み立て位置に影響を受けない。これにより、天壁１０２の投入口１０３の後方位置に形成された垂直な平坦面２００、洗濯助成剤投入部１０４の前面、および、洗濯助成剤自動投入装置１０５ａ、１０５ｂの前面を同一平面上に揃えることができる。これにより、デザイン性の低下を防止することができる。
【００２４】
図４は、洗濯機における上筐体と蓋体の分解斜視図である。蓋体５００は、蓋体５００の表面を構成する意匠面材５１０、および、意匠面材５１０を支持する蓋樹脂部材５３０を備えている。意匠面材５１０と蓋樹脂部材５３０とは、接着部材５２０を介して接合される。
【００２５】
蓋体５００裏面には、ヒンジ部構造体５４０が構成される。ヒンジ部構造体５４０は、主支持板５４１、右支持板５４２、および、左支持板５４３から構成される。なお、図１〜３に示すように、洗濯機１００を前方から見た洗濯機１００の右側を右側と定義し、洗濯機１００を前方から見た洗濯機１００の左側を左側と定義する。
【００２６】
図５は、洗濯機における蓋体の開位置での裏面構造を示した分解正面図である。図６は、洗濯機における蓋体のヒンジ構造を示した分解斜視図である。
【００２７】
主支持板５４１は、蓋樹脂部材５３０にビスにより接合される。主支持板５４１には、左右に段押し形状５４４が設けられている。蓋樹脂部材５３０には、段押し形状５４４に対応する位置に開口部５３１が形成されている。段押し形状５４４は、開口部５３１を介して接着部材５２０により意匠面材５１０に直接接着される。主支持板５４１には、板金が使用される。樹脂よりも接着性が高い板金と意匠面材５１０が接着されることで、蓋樹脂部材５３０と意匠面材５１０が接着される場合と比べて、より強固な接着力を発揮する。ヒンジ部へ集中応力が発生した場合であっても、意匠面材５１０と主支持板５４１が強固に接着されていることで、意匠面材の剥がれを防止する効果がある。
【００２８】
主支持板５４１には、左バネ５４５と、右バネ５４６とが配設されている。本実施の形態では、左バネ５４５および右バネ５４６は、トーションばねを用いているが、他のばねを用いてもよい。左バネ５４５および右バネ５４６には、それぞれバネ支持材５４７およびシャフト５４８が配設されている。重量の重い蓋体５００を開ける際、使用者の負荷を軽減するため、左バネ５４５および右バネ５４６により高い開トルクが発生する。バネ支持材５４７およびシャフト５４８が回転軸中心に対して左バネ５４５および右バネ５４６の変形を防止することで、バネの捩れを規制し開トルクのロスを軽減する。
【００２９】
主支持板５４１には、右支持板５４２および左支持板５４３が配設される。右支持板５４２および左支持板５４３は、金属材料により構成される。右支持板５４２および左支持板５４３は、主支持板５４１から離間する方向に延設し、延設方向に屈曲されて断面コ字（Ｕ字）型形状に構成される。
【００３０】
右支持板５４２および左支持板５４３は、蓋樹脂部材５３０および主支持板５４１に、ビスにより接合される。これら各部品の接合は、溶接によって行われてもよい。または、右支持板５４２、左支持板５４３、および主支持板５４１は一体部品構成であってもよい。
【００３１】
本実施の形態においては、左支持板５４３および右支持板５４２は、主支持板５４１とは別部品で構成するため、材質や厚みを主支持板５４１と異ならせて形成することができる。各支持板に加わる応力に応じて、各支持板を構成する材料を適宜選択することができる。
【００３２】
左バネ５４５および右バネ５４６から発生する開トルクにより、蓋体５００のヒンジ部端面には曲げ応力が発生する。そして、意匠面材５１０および蓋樹脂部材５３０には、接着部材５２０を介して、剥がれの応力が発生する。これにより、意匠面材５１０の剥がれ、変形、破壊が発生するおそれがある。
【００３３】
一般的には、このような問題の防止策として、蓋体ヒンジ部端面に、別部品を嵌合して強度を上げ、意匠面材５１０の剥がれを防止する。
【００３４】
しかしながら、この構成では、蓋体上面全体をフラットにすることができず、高級感が阻害される。また、意匠面材５１０に凹凸が生じることから、埃やゴミが外観面につまり、お手入れ性の観点からも問題を生じる。
【００３５】
右支持板５４２および左支持板５４３を設けることにより、ヒンジ部による開トルクを受ける面積を増大させることができる。これにより、開トルクの作用による蓋体５００のヒンジ部端面に発生する曲げ応力を、緩和することができる。本実施の形態では、開トルクの作用による蓋樹脂部材５３０の最大変形箇所をヒンジ部端面から蓋体５００、中央部までに分散させることができる。これにより、意匠面材５１０の剥がれ、変形、破壊を防止する。よって、蓋体５００の全面に意匠面材５１０を配設し、フラット感、高級感を表現することができる。
【００３６】
また、意匠面材５１０を外観全面とし、他部品との嵌合構成がないことから、埃やゴミ溜りを抑制し、お手入れを容易とするメンテナンス性向上を図る。
【００３７】
蓋樹脂部材５３０、主支持板５４１、右支持板５４２、および、左支持板５４３は、蓋裏樹脂材５７０により覆われて、蓋体５００が構成される。
【００３８】
蓋裏樹脂材５７０によってヒンジ部構造体５４０を覆うことで、複雑な構成を隠すことができ、蓋体５００裏面を滑らかな構成にすることができる。これにより、蓋体５００の裏面の手入れを容易にすることができる。
【００３９】
蓋裏樹脂材５７０の前方側先端部には凹部が設けられ、使用者の蓋体５００を開閉する際の手掛け部が構成される。
【００４０】
図７は、洗濯機における筐体から蓋体を分離した状態の概略的な斜視図である。
【００４１】
蓋体５００は、以上のように構成され、天壁１０２に挿入される。天壁１０２の内部に配設された支持部材１０８には、連結部材１０９が配設される。連結部材１０９は、主に板金部品により構成される。連結部材１０９は、バネ受部１２２（図２、３参照）を備えている。
【００４２】
左バネ５４５および右バネ５４６は、バネ受部１２２と主支持板５４１とに架設されて蓋体５００を開方向に付勢する。バネ受部１２２、主支持板５４１は板金部品により構成されるので、左バネ５４５および右バネ５４６による部品の変形を防止することができ、強度を確保できる。
【００４３】
連結部材１０９には、軸受部６２０が左右に配設される。蓋体５００のシャフト５４８は、一端が主支持板５４１に設けた主支持板軸受部５４９に支持され、他端が軸受部６２０に支持される。これにより、主支持板軸受部５４９、シャフト５４８及び軸受部６２０は蓋体５００の開閉中心支持部となる。蓋体５００には、蓋体５００の開閉動作時に抵抗を与えるダンパ５５０が配設され、天壁１０２に設けたダンパ支持部１１０に装着される。
【００４４】
蓋体５００の下部のヒンジ部構造体５４０に対応する箇所は、蓋裏左ヒンジ樹脂材５８０と、蓋裏右ヒンジ樹脂材５９０が取り付けられる。蓋裏左ヒンジ樹脂材５８０および蓋裏右ヒンジ樹脂材５９０により、ヒンジ部構造体５４０に対応する箇所に露出する孔等を隠すことができる。
【００４５】
本構成により、回転中心の応力によりダンパ５５０およびシャフト５４８に不具合が生じた際には、筐体１０１や周辺部品を分解することなく、蓋体５００を取り外して容易に交換することが可能となる。
【００４６】
以上の実施の形態においては、垂直、同一などの表現を用いて説明した。これらの表現は、厳密に垂直、同一ではない場合も含む。例えば、垂直である、とは、完全に垂直であることを意味するだけでなく、実質的に垂直であること、すなわち、例えば数％程度の差異を含むことも意味する。
【００４７】
以上、説明したように、本開示の第１の態様に係る洗濯機は、筐体１０１と、投入口１０３を有する天壁１０２と、天壁１０２の上面に設けられ投入口１０３を開閉する蓋体５００と、天壁１０２の後方内部に設けられ、筐体１０１に固定される支持部材１０８と、支持部材１０８に固定される連結部材１０９と、を備えている。支持部材１０８は、支持部材１０８の両端部に立設する側壁２１０を備え、連結部材１０９は両端部の側壁２１０を連結し、連結部材１０９は蓋体５００を軸支する。これにより、蓋体５００の軸支部の強度が向上して重量の増加した蓋体５００を軸支でき、デザイン性を向上できる。
【００４８】
第２に態様に係る洗濯機は、連結部材１０９は金属製である。これにより、さらに蓋体５００の軸支部の強度を向上することができる。
【００４９】
第３の態様に係る洗濯機は、連結部材１０９に配設されている軸受部６２０に、蓋体５００に配設されているシャフト５４８が支持される。これにより、安定して蓋体５００を支持することができる。
【００５０】
第４の態様に係る洗濯機は、支持部材１０８は、投入口１０３の後方を形成する平坦面２００を有する前壁２２０を備える。両端部の側壁２１０および前壁２２０は、上部で、連結部材１０９と位置決め固定される。支持部材１０８には、給水装置１０７が配設される。給水装置１０７は、連結部材１０９に位置決め固定される。これにより、投入口１０３の後方を形成する平坦面２００と給水装置１０７の前面とを位置合わせすることができ、同一平面とすることができる。これにより、デザイン性の低下を防止することができる。
【００５１】
第５の態様に係る洗濯機は、給水装置１０７は、洗濯助成剤を投入する洗濯助成剤投入部１０４を有する。これにより、投入口１０３の後方を形成する平坦面２００と洗濯助成剤投入部１０４の前面とを位置合わせすることができ、同一平面とすることができる。これにより、デザイン性の低下を防止することができる。
【００５２】
第６の態様に係る洗濯機は、給水装置１０７は、洗濯助成剤を自動投入する洗濯助成剤自動投入装置１０５ａおよび／または洗濯助成剤自動投入装置１０５ｂを有する。これにより、投入口１０３の後方を形成する平坦面２００と洗濯助成剤自動投入装置１０５ａおよび／または洗濯助成剤自動投入装置１０５ｂの前面とを位置合わせすることができ、同一平面とすることができる。これにより、デザイン性の低下を防止することができる。
【００５３】
本開示の洗濯機は、蓋体の軸支部の強度が向上することにより重量の増加した蓋体を軸支でき、デザイン性を向上できる。したがって、乾燥機能を備えた縦型洗濯機や、乾燥機能を備えない縦型洗濯機など種々洗濯機に本開示を採用することができる。
【符号の説明】
【００５４】
１００  洗濯機
１０１  筐体
１０２  天壁
１０３  投入口
１０４  洗濯助成剤投入部
１０５ａ、１０５ｂ  洗濯助成剤自動投入装置
１０７  給水装置
１０８  支持部材
１０９  連結部材
１１０  ダンパ支持部
１１２、１１３、１１４  突起部
１１５、１１６、１１７  孔部
１１８、１１９  ツメ部
１２０、１２１  角孔
１２２  バネ受部
２００  平坦面
２１０  側壁
２２０  前壁
４００  操作部
５００  蓋体
５１０  意匠面材
５２０  接着部材
５３０  蓋樹脂部材
５３１  開口部
５４０  ヒンジ部構造体
５４１  主支持板
５４２  右支持板
５４３  左支持板
５４４  段押し形状
５４５  左バネ
５４６  右バネ
５４７  バネ支持材
５４８  シャフト
５４９  主支持板軸受部
５５０  ダンパ
５８０  蓋裏左ヒンジ樹脂材
５９０  蓋裏右ヒンジ樹脂材
６２０  軸受部
【図１】
2020217582.tif 000003
【図２】
2020217582.tif 000004
【図３】
2020217582.tif 000005
【図４】
2020217582.tif 000006
【図５】
2020217582.tif 000007
【図６】
2020217582.tif 000008
【図７】
2020217582.tif 000009
【国際調査報告】
2020217582.tif 000010
2020217582.tif 000011
2020217582.tif 000012
2020217582.tif 000013
2020217582.tif 000014